(57)【要約】【課題】揮散剤を効率的に揮散させる。【解決手段】揮散装置１０は、送風口の正面に配置されるとともに通気口３３が貫設された背面壁部２１を有する支持部材１１と、背面壁部２１を間に挟んで送風口の反対側に配置されるとともに支持部材１１に支持され、内部に収容する揮散剤を吐出する吐出容器１２と、吐出容器１２から吐出された揮散剤が含浸されるとともに、送風口からの空気が通気口３３を通して吹き付けられる含浸体１３と、を備え、吐出容器１２は、この吐出容器１２の径方向の外側に向けて揮散剤を吐出する吐出孔４０が形成された頭部３８ｂを備え、含浸体１３は、頭部３８ｂを径方向の外側から囲繞する筒状に形成されている。【選択図】図３
2014148315.tif 000002
【特許請求の範囲】
【請求項１】
送風口の正面に配置されるとともに通気口が貫設された背面壁部を有する支持部材と、
前記背面壁部を間に挟んで前記送風口の反対側に配置されるとともに前記支持部材に支持され、内部に収容する揮散剤を吐出する吐出容器と、
前記吐出容器から吐出された揮散剤が含浸されるとともに、前記送風口からの空気が前記通気口を通して吹き付けられる含浸体と、を備え、
前記吐出容器は、この吐出容器の径方向の外側に向けて揮散剤を吐出する吐出孔が形成された頭部を備え、
前記含浸体は、前記頭部を前記径方向の外側から囲繞する筒状に形成されていることを特徴とする揮散装置。
【請求項２】
請求項１記載の揮散装置であって、
前記支持部材には、内部に、前記通気口を通過した前記送風口からの空気が吹き込まれる筒壁部が備えられ、
前記頭部および前記含浸体は、前記筒壁部内に収容されていることを特徴とする揮散装置。
【請求項３】
請求項２記載の揮散装置であって、
前記吐出容器および前記含浸体は、前記筒壁部に支持されていることを特徴とする揮散装置。
【請求項４】
請求項１から３のいずれか１項に記載の揮散装置であって、
前記頭部は、押下されることで前記吐出孔から揮散剤を吐出し、
前記背面壁部には、吐出容器側に向けて突出する操作部材が設けられ、
前記操作部材は、前記背面壁部に回動軸回りに回動可能に連結され、前記回動軸回りに回動することで前記頭部を押下することを特徴とする揮散装置。
【請求項５】
請求項４記載の揮散装置であって、
前記支持部材および前記操作部材には、前記操作部材が前記回動軸回りに回動して前記頭部を押下した状態で互いに係合し、前記操作部材の更なる回動を規制する規制部材が設けられていることを特徴とする揮散装置。
【請求項６】
請求項１から５のいずれか１項に記載の揮散装置であって、
前記背面壁部に設けられ、前記送風口に取り付けられる取付け部材を備えていることを特徴とする揮散装置。
【請求項７】
請求項６記載の揮散装置であって、
前記取付け部材には、
前記背面壁部に配設された基部と、
前記基部に配設され、前記送風口に設けられた被係合部に各別に係合する複数のクリップ部と、が備えられ、
前記複数のクリップ部のうち、少なくとも１つは、前記基部に移動可能に配設された可動クリップ部であることを特徴とする揮散装置。
【請求項８】
請求項７記載の揮散装置であって、
前記可動クリップ部は、前記基部にスライド移動可能に配設されていることを特徴とする揮散装置。
【請求項９】
請求項７または８に記載の揮散装置であって、
前記クリップ部が前記被係合部に係合した状態で、前記基部には、前記被係合部が送風口側から当接することを特徴とする揮散装置。
【発明の詳細な説明】
【技術分野】
【０００１】
本発明は、揮散装置に関する。
【背景技術】
【０００２】
従来から、例えば下記特許文献１に示されるような揮散装置が知られている。この揮散装置は、側周壁と底壁とを有する容器体と、側周壁の開口端に突設されたフランジと、フランジに接着された揮散板と、揮散板の上面に貼着されたシール材と、を備えている。この揮散装置では、シール材を揮散板から剥離することで、揮散板に穿設された揮散孔を通して、容器体の内部から外部に揮散剤を揮散させる。
【先行技術文献】
【特許文献】
【０００３】
【特許文献１】特開２００９−２０８７９８号公報
【発明の概要】
【発明が解決しようとする課題】
【０００４】
しかしながら、前記従来の揮散装置では、シール材を揮散板から剥離した状態でこの揮散装置を放置しておくと、揮散剤を揮散させる必要が無くなった場合でも揮散剤が揮散され続けるため、このような無駄な揮散剤の揮散を抑えて揮散剤を効率的に揮散させることについて改善の余地がある。
【０００５】
本発明は、前述した事情に鑑みてなされたものであって、揮散剤を効率的に揮散させることができる揮散装置を提供することを目的とする。
【課題を解決するための手段】
【０００６】
前記課題を解決するために、本発明は以下の手段を提案している。
本発明に係る揮散装置は、送風口の正面に配置されるとともに通気口が貫設された背面壁部を有する支持部材と、前記背面壁部を間に挟んで前記送風口の反対側に配置されるとともに前記支持部材に支持され、内部に収容する揮散剤を吐出する吐出容器と、前記吐出容器から吐出された揮散剤が含浸されるとともに、前記送風口からの空気が前記通気口を通して吹き付けられる含浸体と、を備え、前記吐出容器は、この吐出容器の径方向の外側に向けて揮散剤を吐出する吐出孔が形成された頭部を備え、前記含浸体は、前記頭部を前記径方向の外側から囲繞する筒状に形成されていることを特徴とする。
【０００７】
この発明では、揮散剤を揮散させるときには、支持部材を送風口の正面に配置するとともに、揮散剤を吐出容器から吐出して含浸体に含浸させる。すると、送風口からの空気が通気口を通して含浸体に吹き付けられながら、含浸体に含浸された揮散剤が蒸発し、この揮散剤が空気の流れに伴って放散される。
【０００８】
このように、吐出容器内に収容されている揮散剤ではなく、吐出容器から吐出された揮散剤を揮散させるので、この揮散装置を放置したとしても、吐出容器から吐出した分よりも多くの量の揮散剤が無駄に揮散するのを抑えることができる。
また揮散剤が、含浸体に吹き付けられた空気の流れに伴って放散されるので、この流れの向きを調整することで、揮散剤を意図する場所に放散させ易くすることができる。
以上のように、揮散剤が無駄に揮散することを抑え、かつ揮散剤を意図する場所に放散させ易くすることが可能になり、揮散剤を効率的に揮散させることができる。
【０００９】
また前述のように、吐出容器から吐出された揮散剤を揮散させるので、吐出容器からの揮散剤の吐出量を調整し含浸体に含浸される揮散剤の含浸量を調節することで、例えば揮散剤の揮散を継続させる時間や、揮散剤の単位時間当たりの揮散量などを調整することができる。これにより、揮散剤の揮散により得られる揮散効果を多様に変化させることができる。
【００１０】
さらに含浸体が、吐出容器の頭部を径方向の外側から囲繞する筒状に形成されているので、吐出孔の向きによらず、揮散剤を確実に含浸体に向けて吐出することができる。したがって、例えば、吐出孔の向きを確認することなく吐出容器を支持部材に組み付けるといったこと等が可能になり、この揮散装置を簡便に組み立てることができる。
【００１１】
また、前記支持部材には、内部に、前記通気口を通過した前記送風口からの空気が吹き込まれる筒壁部が備えられ、前記頭部および前記含浸体は、前記筒壁部内に収容されていてもよい。
【００１２】
この場合、含浸体が、筒壁部内に収容されているので、含浸体を支持部材により外部から覆うことが可能になり、この揮散装置の外観性を確保し易くすることができる。
またこのように、含浸体を支持部材により外部から覆うことができるので、例えば、含浸体が外気に晒されることにより、含浸体に含浸された揮散剤が過度に揮散するといったこと等を規制して、揮散の程度を調整し易くすることが可能になり、揮散剤の揮散により得られる揮散効果を確実に多様に変化させることができる。
【００１３】
また、前記吐出容器および前記含浸体は、前記筒壁部に支持されていてもよい。
【００１４】
この場合、吐出容器および含浸体のいずれもが、共通の筒壁部に支持されているので、頭部と含浸体との相対的な位置関係を安定に保持することが可能になり、揮散剤を一層確実に含浸体に向けて吐出することができる。
【００１５】
また、前記頭部は、押下されることで前記吐出孔から揮散剤を吐出し、前記背面壁部には、吐出容器側に向けて突出する操作部材が設けられ、前記操作部材は、前記背面壁部に回動軸回りに回動可能に連結され、前記回動軸回りに回動することで前記頭部を押下してもよい。
【００１６】
この場合、操作部材が、前記回動軸回りに回動することで頭部を押下するので、頭部を押下するために必要な、操作部材に加える回動力を、梃子の原理によって小さく抑えることができる。
またこのように、頭部を押下するために必要な回動力を小さく抑えることができるので、頭部を押下して揮散剤を吐出するときに、吐出容器に過度に大きな力が加えられるのを抑えることができる。これにより、この揮散装置の姿勢を安定させることが可能になり、この揮散装置の操作性をより確実に向上させ易くすることができる。
【００１７】
また、前記支持部材および前記操作部材には、前記操作部材が前記回動軸回りに回動して前記頭部を押下した状態で互いに係合し、前記操作部材の更なる回動を規制する規制部材が設けられていてもよい。
【００１８】
この場合、支持部材および操作部材に、前記規制部材が設けられているので、頭部を押下する押下力が、吐出容器に過度に加えられるのを抑えるとともに、この吐出容器および支持部材を介して送風口に過剰な負荷が加えられるのを抑えることが可能になり、この揮散装置の姿勢をより安定させることができる。
【００１９】
また、前記背面壁部に設けられ、前記送風口に取り付けられる取付け部材を備えていてもよい。
【００２０】
この場合、前記取付け部材を備えているので、支持部材を送風口の正面に配置した状態で、支持部材を、取付け部材を介して送風口に固定することができる。これにより、例えば送風口から吹き出される空気の流れの強さ等によらず、支持部材が送風口に対して位置ずれするのを抑えることが可能になり、送風口からの空気を、確実に通気口を通して含浸体に吹き付けて、揮散剤をより効率的に揮散させることができる。
【００２１】
また、前記取付け部材には、前記背面壁部に配設された基部と、前記基部に配設され、前記送風口に設けられた被係合部に各別に係合する複数のクリップ部と、が備えられ、前記複数のクリップ部のうち、少なくとも１つは、前記基部に移動可能に配設された可動クリップ部であってもよい。
【００２２】
この場合、支持部材を送風口の正面に配置するときには、クリップ部を被係合部に係合させて取付け部材を送風口に取り付ける。このとき、送風口の被係合部の形態に応じて可動クリップ部を基部に対して移動させ、複数のクリップ部を被係合部に各別に係合させる。
このように、複数のクリップ部が、被係合部に各別に係合するので、取付け部材を送風口に強固に取り付けることが可能になり、支持部材が送風口に対して位置ずれするのを確実に抑えることができる。
また複数のクリップ部のうち、少なくとも１つが、可動クリップ部なので、送風口の被係合部の形態に応じて可動クリップ部の位置を調整することができる。したがって、この揮散装置を多様な送風口に強固に取り付けることが可能になり、この揮散装置の適用範囲を多岐にわたらせることができる。
【００２３】
また、前記可動クリップ部は、前記基部にスライド移動可能に配設されていてもよい。
【００２４】
この場合、可動クリップ部が、基部にスライド移動可能に配設されているので、可動クリップ部を基部から離脱させることなく、基部に対する可動クリップ部の位置を調整することが可能になり、この揮散装置の操作性を向上させることができる。
【００２５】
また、前記クリップ部が前記被係合部に係合した状態で、前記基部には、前記被係合部が送風口側から当接してもよい。
【００２６】
この場合、クリップ部が被係合部に係合した状態で、基部に、被係合部が送風口側から当接するので、被係合部に基部を送風口側から支持させることが可能になり、支持部材が送風口に対して位置ずれするのを一層確実に抑えることができる。
【発明の効果】
【００２７】
本発明に係る揮散装置によれば、揮散剤を効率的に揮散させることができる。
【図面の簡単な説明】
【００２８】
【図１】本発明の第１実施形態に係る揮散装置の側面図である。
【図２】図１に示す揮散装置の正面図である。
【図３】図１に示す揮散装置の要部の部分縦断面図である。
【図４】図３に示すＡ−Ａ矢視断面図である。
【図５】本発明の第２実施形態に係る揮散装置の側面図である。
【発明を実施するための形態】
【００２９】
（第１実施形態）
以下、図１から図４を参照し、本発明の第１実施形態に係る揮散装置１０を説明する。この揮散装置１０は、例えば芳香剤、消臭剤、殺虫剤、忌避剤、除菌剤などの揮発性を有する液状の揮散剤を揮散させる。
【００３０】
図１に示すように、この揮散装置１０は、例えば図示しない車両などに設けられた送風口Ａに着脱可能に取り付けられる。送風口Ａには、この送風口Ａから吹き出す空気の流れの向きを調整するフィン（被係合部）Ａ１が設けられている。フィンＡ１は、鉛直方向（軸線方向）Ｚに間隔をあけて複数配置されている。送風口Ａは、鉛直方向Ｚに隣り合うフィンＡ１同士の間を通して空気を吹き出す。送風口Ａは、鉛直方向Ｚに直交する前後方向Ｘに沿って前方から後方に向けて空気を吹き出す。フィンＡ１は、鉛直方向Ｚおよび前後方向Ｘの両方向に直交する左右方向Ｙに延在している。
【００３１】
図１から図４に示すように、揮散装置１０は、支持部材１１と、吐出容器１２と、含浸体１３と、操作部材１４と、取付け部材１５と、を備えている。
図１および図３に示すように、支持部材１１は、送風口Ａの正面に配置される。支持部材１１は、背面壁部２１と、筒壁部２２と、一対の連結壁部２３と、を備えている。背面壁部２１は、送風口Ａを後方から覆う。背面壁部２１は、鉛直方向Ｚに延在し前後方向Ｘを向いている。
【００３２】
図３および図４に示すように、筒壁部２２は、背面壁部２１の後側に配置されていて、筒壁部２２と背面壁部２１との間には、前後方向Ｘの隙間があいている。筒壁部２２は、鉛直方向Ｚに延在する円筒状に形成されている。筒壁部２２の左右方向Ｙおよび鉛直方向Ｚの各位置は、背面壁部２１と同等となっている。なお以下では、筒壁部２２の軸線を軸線Ｏといい、前記軸線Ｏに直交する方向を径方向といい、前記軸線Ｏ回りに周回する方向を周方向という。前記軸線Ｏは、鉛直方向Ｚに沿って延在している。
【００３３】
筒壁部２２の上端部の後側部分には、面取り部２４が設けられている。面取り部２４は、この揮散装置１０を左右方向Ｙから見た側面視において、後側に向けて凸となる曲線状に形成されている。
筒壁部２２の下端部には、支持フランジ部２５が突設されている。支持フランジ部２５は、前記軸線Ｏと同軸に配置され、外周面が筒壁部２２の内周面に連結された環状に形成されている。
【００３４】
支持フランジ部２５には、貫通孔２６と、第１規制部２７と、が設けられている。貫通孔２６は、支持フランジ部２５を鉛直方向Ｚに貫通している。貫通孔２６は、周方向に円弧状に延在している。貫通孔２６は、前記軸線Ｏを径方向に挟んで一対設けられている。一対の貫通孔２６は、前記軸線Ｏを前後方向Ｘに挟んでいる。
【００３５】
第１規制部２７は、支持フランジ部２５の内周面に突設されている。第１規制部２７は、支持フランジ部２５のうち、貫通孔２６に対応する部分に各別に配置されている。第１規制部２７は、周方向に円弧状に延在している。第１規制部２７は、貫通孔２６の周方向の内側に配置されている。
【００３６】
筒壁部２２の内周面には、鉛直方向Ｚに延在する縦リブ２８が設けられている。縦リブ２８は、周方向に間隔をあけて複数配置されていて、周方向に隣り合う縦リブ２８同士の間隔は、互いに同等となっている。縦リブ２８は、貫通孔２６に対して周方向にずらされて配置されている。縦リブ２８の下端部は、支持フランジ部２５に連結されている。縦リブ２８の筒壁部２２の内周面からの突出量は、支持フランジ部２５の筒壁部２２の内周面からの突出量と同等となっている。
【００３７】
縦リブ２８の上端部には、突出部２９が設けられている。突出部２９は、縦リブ２８の径方向の内側の端部に上方に向けて突設されている。各縦リブ２８に設けられた複数の突出部２９は、周方向に隣り合うもの同士が間隔をあけて配置されてなる環状の突出部列３０を構成している。突出部列３０は、前記軸線Ｏと同軸に配置されている。
突出部２９には、第２規制部３１が設けられている。第２規制部３１は、突出部２９からから径方向の内側に向けて突出していて、支持フランジ部２５の径方向の内側に位置している。
【００３８】
連結壁部２３は、左右方向Ｙに間隔をあけて一対配置されている。連結壁部２３は、背面壁部２１の左右方向Ｙの端部と、筒壁部２２の左右方向Ｙの端部と、を連結している。連結壁部２３は左右方向Ｙを向いていて、連結壁部２３の前端部が背面壁部２１に連結され、連結壁部２３の後端部が筒壁部２２に連結されている。連結壁部２３は、背面壁部２１と筒壁部２２とを鉛直方向Ｚの全長にわたって連結している。
【００３９】
ここで背面壁部２１には、ガイド溝３２と、通気口３３と、が設けられている。ガイド溝３２は、背面壁部２１の下側部分に配設されている。ガイド溝３２は、背面壁部２１における左右方向Ｙの中央部に配置されている。ガイド溝３２は、背面壁部２１の下端部から鉛直方向Ｚの中央部に至るまで延在していて、下方に向けて開口するとともに上方に向けて非開口となっている。ガイド溝３２は、背面壁部２１の後側に位置する空間部３４に開口している。空間部３４は、背面壁部２１と、筒壁部２２と、一対の連結壁部２３と、の間に画成されていて、鉛直方向Ｚの両側に向けて開口している。
【００４０】
通気口３３は、送風口Ａからの空気が通過するように構成されている。通気口３３は、背面壁部２１の上側部分に配設されている。通気口３３は、左右方向Ｙに延在する長穴状に形成されている。通気口３３は、背面壁部２１の左右方向Ｙの全長にわたって形成され、更に図示の例では、背面壁部２１の左右方向Ｙの端部から後方に向けて連結壁部２３に至るまで延在している。
【００４１】
筒壁部２２内には、通気口３３を通過した送風口Ａからの空気が吹き込まれる。筒壁部２２には、送風口Ａからの空気が流通する流通口３５が形成されている。流通口３５は、筒壁部２２に貫設されている。流通口３５は、筒壁部２２の前側部分に配設されている。流通口３５は、上方に向けて開口する切り欠き状に形成されている。流通口３５は、通気口３３の左右方向Ｙの内側に位置している。流通口３５は、通気口３３よりも鉛直方向Ｚに大きい。
【００４２】
筒壁部２２には、第１導出口３６が形成されている。第１導出口３６は、筒壁部２２内に吹き込まれた送風口Ａからの空気を外部に導出する。第１導出口３６は、筒壁部２２を径方向に貫通している。第１導出口３６は、周方向に延在する長穴状に形成されている。第１導出口３６は、筒壁部２２において流通口３５を回避した位置に配設されている。第１導出口３６は、筒壁部２２の左右方向Ｙの両側部分と、後側部分と、に配設されている。第１導出口３６は、鉛直方向Ｚに間隔をあけて複数配置されている。
【００４３】
吐出容器１２は、背面壁部２１の後方に位置していて、背面壁部２１を間に挟んで送風口Ａの反対側に配置される。吐出容器１２は、支持部材１１に鉛直方向Ｚに支持されている。吐出容器１２は、軸線Ｏと同軸に配置されている。吐出容器１２は、容器体３７と、吐出器３８と、を備えている。
【００４４】
図１から図３に示すように、容器体３７には、揮散剤が収容される。容器体３７は、有底筒状に形成されていて、この容器体３７の中心軸が、吐出容器１２の軸線Ｏとなっている。容器体３７は、下方から上方に向けて、底部３７ａ、胴部３７ｂ、肩部３７ｃおよび口部３７ｄがこの順に連設されてなる。
【００４５】
図３に示すように、吐出器３８は、容器体３７に装着され、容器体３７内の揮散剤を吐出する。吐出容器１２としては、例えば揮散剤を霧状に吐出するいわゆるエアゾールタイプやスプレーポンプタイプの構成などが挙げられる。吐出器３８は、装着キャップ３８ａと、図示しないステムと、押下ヘッド（頭部）３８ｂと、を備えている。
【００４６】
装着キャップ３８ａは、口部３７ｄに外装されている。装着キャップ３８ａは、上方から下方に向かうに従い漸次拡径している。装着キャップ３８ａの上端部は、支持フランジ部２５の内径よりも小径であり、装着キャップ３８ａの下端部は、支持フランジ部２５の内径よりも大径になっている。前記ステムは、装着キャップ３８ａに、上方付勢状態で下方移動可能に配設されている。
【００４７】
押下ヘッド３８ｂは、支持フランジ部２５の内径よりも小径であり、前記ステムに装着されている。押下ヘッド３８ｂには、径方向の外側に向けて開口する吐出孔４０が形成されている。吐出孔４０は、前方（背面壁部側）に向けて開口している。吐出孔４０は、前記ステム内に連通している。
【００４８】
押下ヘッド３８ｂは、押下されることで揮散剤を吐出孔４０から吐出する。押下ヘッド３８ｂは、押下されたときに前記ステムを押し下げることで、前記ステムから吐出孔４０内に揮散剤を供給させ、この揮散剤を吐出孔４０から吐出する。この吐出容器１２は、内部に収容する揮散剤を、この吐出容器１２の径方向の外側に向けて吐出し、図示の例では、前方（背面壁部側）に向けて吐出する。
【００４９】
吐出容器１２には、前記軸線Ｏ回りに延在する環状凹部４１が設けられている。装着キャップ３８ａの下端部には、環状凹部４１を画成する環状段部４２が形成されている。環状段部４２は、前記軸線Ｏ回りに延在するとともに下方を向いている。環状段部４２は、肩部３７ｃに鉛直方向Ｚに対向するとともに肩部３７ｃに対して上方に離間している。そして環状段部４２と、肩部３７ｃと、口部３７ｄのうち環状段部４２および肩部３７ｃの間に位置する部分と、により前記環状凹部４１が画成されている。
【００５０】
吐出容器１２は、筒壁部２２に正立状態で支持されていて、図示の例では、環状凹部４１が、支持フランジ部２５内に嵌合することで、環状段部４２が、第１規制部２７により支持されている。吐出容器１２のうち、底部３７ａ、胴部３７ｂ、肩部３７ｃは、支持部材１１から露出し、装着キャップ３８ａおよび押下ヘッド３８ｂは、筒壁部２２内に収容されている。
【００５１】
吐出容器１２は、支持フランジ部２５を下方から上方に通過することで支持フランジ部２５内に嵌合される。本実施形態では、吐出容器１２のうち、装着キャップ３８ａに、貫通孔２６を狭めるように支持フランジ部２５を前後方向Ｘに弾性変形させながら、支持フランジ部２５内を通過させた後、支持フランジ部２５が復元変形することで、環状凹部４１が支持フランジ部２５内に嵌合される。装着キャップ３８ａの鉛直方向Ｚの移動は、第１規制部２７および第２規制部３１により規制される。
【００５２】
含浸体１３には、吐出容器１２から吐出された揮散剤が含浸される。含浸体１３には、送風口Ａからの空気が通気口３３を通して吹き付けられる。含浸体１３は、多孔質材、例えばろ紙やスポンジ体などにより形成されている。
ここで本実施形態では、含浸体１３は、押下ヘッド３８ｂを径方向の外側から囲繞する筒状に形成されている。含浸体１３は、筒壁部２２内に収容され、筒壁部２２に支持されている。含浸体１３の下端部は、突出部列３０（図４参照）に外装されていて、縦リブ２８の上端部に下方から支持されている。含浸体１３は、通気口３３および流通口３５を通して前方に露出し、第１導出口３６を通して後方および左右方向Ｙの両側に露出している。
【００５３】
操作部材１４は、背面壁部２１から後方（吐出容器側）に向けて突出している。操作部材１４は、筒壁部２２の上端開口部を上方から開閉可能に覆っている。操作部材１４は、頂面壁部４３と、正面壁部４４と、一対の側面壁部４５と、を備えている。
【００５４】
頂面壁部４３は、背面壁部２１の上端部から後方に向けて延在し、鉛直方向Ｚを向いている。頂面壁部４３は、吐出容器１２の上方に位置している。頂面壁部４３の後端部は、押下ヘッド３８ｂよりも後側に位置している。頂面壁部４３は、背面壁部２１よりも左右方向Ｙに大きい。
頂面壁部４３には、下方に向けて突出する押下凸部４６が設けられている。押下凸部４６の下端部は、前記側面視において、下方に向けて凸となる曲線状をなしている。
【００５５】
正面壁部４４は、頂面壁部４３の後端部から後方斜め下方に向けて延在し、鉛直方向Ｚおよび前後方向Ｘの両方向を向いていて、頂面壁部４３に湾曲部４７を介して連結されている。湾曲部４７は、前記側面視において、上方に向けて凸となる曲線状に形成されている。正面壁部４４の左右方向Ｙの大きさは、頂面壁部４３の左右方向Ｙの大きさと同等となっている。
【００５６】
一対の側面壁部４５は、正面壁部４４の左右方向Ｙの両端部から下方に向けて突設されている。側面壁部４５は、左右方向Ｙを向いている。側面壁部４５の後端部は、正面壁部４４の左右方向Ｙの端部に連結されている。側面壁部４５の正面壁部４４からの突出量は、前方から後方に向かうに従い漸次、大きくなっている。一対の側面壁部４５の左右方向Ｙの間には、前記支持部材１１が位置している。
【００５７】
操作部材１４には、第２導出口４９が設けられている。図１から図３に示すように、第２導出口４９は、第１導出口３６から操作部材１４に向けて導出された空気を外部に向けて導出する。第２導出口４９は、正面壁部４４および側面壁部４５に複数形成されている。第１導出口３６の少なくとも一部は、第２導出口４９を通して外部に開口している。
【００５８】
図１に示すように、操作部材１４は、支持部材１１に、左右方向Ｙに延在する回動軸Ｌ回りに回動可能に連結され、前記回動軸Ｌ回りに回動することで押下ヘッド３８ｂを押下する。連結壁部２３の上端部と側面壁部４５の前端部とは、左右方向Ｙに延在する軸部４８を介して連結されていて、この軸部４８の軸線Ｏが前記回動軸Ｌとなっている。
【００５９】
取付け部材１５は、背面壁部２１に設けられ、送風口Ａに取り付けられる。取付け部材１５は、基部５１と、クリップ部５２と、を備えている。
基部５１は、背面壁部２１に配設されている。基部５１は、前後方向Ｘ、左右方向Ｙおよび鉛直方向Ｚを向く四角柱状に形成されている。基部５１の上端部は、背面壁部２１に固定され、基部５１の下端部は、吐出容器１２の底部３７ａと鉛直方向Ｚに同等の位置に配置されている。基部５１の後面は、吐出容器１２の胴部３７ｂの前側部分に前方から近接または当接し、吐出容器１２を前方から支持する。
【００６０】
基部５１において左右方向Ｙを向く側面には、左右一対の第１縦溝が形成されている。第１縦溝は、鉛直方向Ｚに延在し、鉛直方向Ｚの両側に向けて開口している。図１および図４に示すように、基部５１のうち、これらの第１縦溝の左右方向Ｙの間に位置する第１薄肉部５３は、ガイド溝３２内に配置されている。第１薄肉部５３は、ガイド溝３２よりも左右方向Ｙに若干小さく、ガイド溝３２に下方から進入可能で、かつガイド溝３２内を上下動可能に形成されている。
【００６１】
基部５１のうち、第１薄肉部５３よりも後側に位置する第１係止部５４は、空間部３４内に配置されている。第１係止部５４は、空間部３４よりも左右方向Ｙに小さく、空間部３４に下方から進入可能で、かつ空間部３４内を上下動可能に形成されている。第１係止部５４は、ガイド溝３２よりも左右方向Ｙに大きく、第１係止部５４の前面は、背面壁部２１の後面に係止している。第１係止部５４は、基部５１のうち、第１薄肉部５３よりも前側に位置する部分との間に、背面壁部２１を前後方向Ｘに挟み込んでいる。
【００６２】
クリップ部５２は、基部５１から前方に向けて突出している。クリップ部５２は、前記フィンＡ１に係合し、図示の例では、フィンＡ１を鉛直方向Ｚに挟持する。クリップ部５２は、基部５１に一体に形成された固定クリップ部５２ａとされている。固定クリップ部５２ａは、基部５１の上端部に配設されている。クリップ部５２は、上下一対の挟持片５９を備えている。挟持片５９の後端部は、基部５１に各別に連結されている。
【００６３】
図１に示すような前記揮散装置１０では、取付け部材１５を支持部材１１に組み付けるときには、支持部材１１を取付け部材１５の下方から上方に向けて移動させ、第１係止部５４および第１薄肉部５３をそれぞれ、空間部３４およびガイド溝３２に進入させる。そして、取付け部材１５を支持部材１１に対して鉛直方向Ｚに所望の位置までスライド移動させる。なおこのとき、例えば取付け部材１５と支持部材１１との間に設けられた図示しない規制手段などにより、取付け部材１５と支持部材１１との鉛直方向Ｚの相対的なスライド移動を規制してもよい。前記規制手段としては、例えばガイド溝３２の壁面、および第１薄肉部５３の側面に各別に設けられ、互いに鉛直方向Ｚに乗り越え可能に係合し合う突起部などが挙げられる。この場合、前記突起部を鉛直方向Ｚに間隔をあけて複数配置してもよい。
【００６４】
また支持部材１１を送風口Ａの正面に配置するときには、クリップ部５２をフィンＡ１に係合させて取付け部材１５を送風口Ａに取り付ける。このとき本実施形態では、基部５１には、フィンＡ１が前方（送風口側）から当接し、基部５１は、フィンＡ１に前方から支持されている。
【００６５】
そして揮散剤を揮散させるときには、前述のように、取付け部材１５を送風口Ａに取り付けて支持部材１１を送風口Ａの正面に配置するとともに、吐出容器１２から揮散剤を前方に向けて吐出して含浸体１３に含浸させる。このとき例えば使用者が、操作部材１４の正面壁部４４を前方斜め下方に向けて押し込む等すると、押下凸部４６が押下ヘッド３８ｂ上を摺動しながら、操作部材１４が前記回動軸Ｌ回りに下方に向けて回動し、押下ヘッド３８ｂが押下されて揮散剤が吐出容器１２から吐出される。
【００６６】
すると、送風口Ａからの空気が通気口３３および流通口３５を通して含浸体１３に吹き付けられながら、含浸体１３に含浸された揮散剤が蒸発し、この揮散剤が空気の流れに伴って放散される。このとき、送風口Ａから通気口３３および流通口３５を通して筒壁部２２内に導入された空気は、含浸体１３に吹き付けられた後、筒壁部２２内を通過し、例えば第１導出口３６や第２導出口４９を通して、この揮散装置１０の外部に導出される。
【００６７】
以上説明したように、本実施形態に係る揮散装置１０によれば、吐出容器１２内に収容されている揮散剤ではなく、吐出容器１２から吐出された揮散剤を揮散させるので、この揮散装置１０を放置したとしても、吐出容器１２から吐出した分よりも多くの量の揮散剤が無駄に揮散するのを抑えることができる。
また揮散剤が、含浸体１３に吹き付けられた空気の流れに伴って放散されるので、この流れの向きを調整することで、揮散剤を意図する場所に放散させ易くすることができる。
以上のように、揮散剤が無駄に揮散することを抑え、かつ揮散剤を意図する場所に放散させ易くすることが可能になり、揮散剤を効率的に揮散させることができる。
【００６８】
また前述のように、吐出容器１２から吐出された揮散剤を揮散させるので、吐出容器１２からの揮散剤の吐出量を調整し含浸体１３に含浸される揮散剤の含浸量を調節することで、例えば揮散剤の揮散を継続させる時間や、揮散剤の単位時間当たりの揮散量などを調整することができる。これにより、揮散剤の揮散により得られる揮散効果を多様に変化させることができる。
【００６９】
さらに含浸体１３が、吐出容器１２の押下ヘッド３８ｂを径方向の外側から囲繞する筒状に形成されているので、吐出孔４０の向きによらず、揮散剤を確実に含浸体１３に向けて吐出することができる。したがって、例えば、吐出孔４０の向きを確認することなく吐出容器１２を支持部材１１に組み付けるといったこと等が可能になり、この揮散装置１０を簡便に組み立てることができる。
【００７０】
また含浸体１３が、筒壁部２２内に収容されているので、含浸体１３を支持部材１１により外部から覆うことが可能になり、この揮散装置１０の外観性を確保し易くすることができる。
またこのように、含浸体１３を支持部材１１により外部から覆うことができるので、例えば、含浸体１３が外気に晒されることにより、含浸体１３に含浸された揮散剤が過度に揮散するといったこと等を規制して、揮散の程度を調整し易くすることが可能になり、揮散剤の揮散により得られる揮散効果を確実に多様に変化させることができる。
【００７１】
また吐出容器１２および含浸体１３のいずれもが、共通の筒壁部２２に支持されているので、押下ヘッド３８ｂと含浸体１３との相対的な位置関係を安定に保持することが可能になり、揮散剤を一層確実に含浸体１３に向けて吐出することができる。
【００７２】
また操作部材１４が、前記回動軸Ｌ回りに回動することで押下ヘッド３８ｂを押下するので、押下ヘッド３８ｂを押下するために必要な、操作部材１４に加える回動力を、梃子の原理によって小さく抑えることができる。
またこのように、押下ヘッド３８ｂを押下するために必要な回動力を小さく抑えることができるので、押下ヘッド３８ｂを押下して揮散剤を吐出するときに、吐出容器１２に過度に大きな力が加えられるのを抑えることができる。これにより、この揮散装置１０の姿勢を安定させることが可能になり、この揮散装置１０の操作性をより確実に向上させ易くすることができる。
【００７３】
また前記取付け部材１５を備えているので、支持部材１１を送風口Ａの正面に配置した状態で、支持部材１１を、取付け部材１５を介して送風口Ａに固定することができる。これにより、例えば送風口Ａから吹き出される空気の流れの強さ等によらず、支持部材１１が送風口Ａに対して位置ずれするのを抑えることが可能になり、送風口Ａからの空気を、確実に通気口３３を通して含浸体１３に吹き付けて、揮散剤をより効率的に揮散させることができる。
【００７４】
また、クリップ部５２がフィンＡ１に係合した状態で、基部５１にフィンＡ１が前方から当接するので、フィンＡ１に基部５１を前方（送風口側）から支持させることが可能になり、支持部材１１が送風口Ａに対して位置ずれするのを一層確実に抑えることができる。
さらに本実施形態では、基部５１の下端部が吐出容器１２の底部３７ａと鉛直方向Ｚに同等に位置しているので、例えば送風口Ａの正面に、揮散装置１０を、この揮散装置１０の鉛直下方から支持する支持台が設けられている場合などには、クリップ部５２をフィンＡ１に係合させながら、基部５１の下端部および吐出容器１２の底部３７ａを前記支持台上に載置することが可能になり、揮散装置１０の姿勢を確実に安定させることができる。
【００７５】
（第２実施形態）
次に、本発明に係る第２実施形態の揮散装置を、図５を参照して説明する。
なお、この第２実施形態においては、第１実施形態における構成要素と同一の部分については同一の符号を付し、その説明を省略し、異なる点についてのみ説明する。
【００７６】
本実施形態の揮散装置６０では、支持部材１１および操作部材１４には、規制部材５０ａ、５０ｂが設けられている。規制部材５０ａ、５０ｂは、操作部材１４が前記回動軸Ｌ回りに回動して押下ヘッド３８ｂを押下した状態で互いに係合し、操作部材１４の更なる回動を規制する。規制部材５０ａ、５０ｂには、第１規制部材５０ａと、第２規制部材５０ｂと、が備えられている。
【００７７】
第１規制部材５０ａは、支持部材１１に設けられている。第１規制部材５０ａは、筒壁部２２の下端部から後方に向けて突出している。第１規制部材５０ａは、鉛直方向Ｚを向く板状に形成されている。第１規制部材５０ａの後端部は、後方に向かうに従い漸次下方に向かって延在している。第１規制部材５０ａの後端部は、前記側面視において、後方に向けて凸となる曲線状に形成されている。
【００７８】
第２規制部材５０ｂは、操作部材１４に設けられている。第２規制部材５０ｂは、正面壁部４４の下端部から後方に向けて突出している。第２規制部材５０ｂは、鉛直方向Ｚを向く板状に形成されている。第２規制部材５０ｂの後端部は、後方に向かうに従い漸次下方に向かって延在している。第２規制部材５０ｂの後端部は、前記側面視において、後方に向けて凸となる曲線状に形成されている。第２規制部材５０ｂの前端部と、正面壁部４４の下端部と、の間には、補強リブが設けられている。
【００７９】
そして図５の２点鎖線に示す操作部材１４のように、操作部材１４が前記回動軸Ｌ回りに回動して押下ヘッド３８ｂを押下した状態で、第２規制部材５０ｂの後端部が第１規制部材５０ａの後端部に、上方斜め後方から当接することで、規制部材５０ａ、５０ｂが互いに係合して、操作部材１４の更なる回動が規制される。
【００８０】
ここで基部５１の前面には、案内溝５５が設けられている。案内溝５５は、鉛直方向Ｚに延在し、下方に向けて開口するとともに上方に向けて非開口となっている。案内溝５５は、前側の狭幅部５５ａと、後側の広幅部５５ｂと、を備えている。狭幅部５５ａは、広幅部５５ｂの左右方向Ｙの内側に位置している。
【００８１】
そして本実施形態では、取付け部材１５には、クリップ部５２が複数備えられていて、複数のクリップ部５２のうち、少なくとも１つは、基部５１に移動可能に配設された可動クリップ部５２ｂとなっている。クリップ部５２は２つ備えられ、２つのクリップ部５２のうち、一方は固定クリップ部５２ａであり、他方は可動クリップ部５２ｂである。
【００８２】
可動クリップ部５２ｂは、基部５１にスライド移動可能に配設され、鉛直方向Ｚにスライド移動する。可動クリップ部５２ｂは、上下一対の挟持片５９と、連結部５６と、を備えている。連結部５６は、一対の挟持片５９を一体に固定し、挟持片５９の後端部同士を連結している。連結部５６は、前後方向Ｘ、左右方向Ｙおよび鉛直方向Ｚを向く四角柱状に形成されている。連結部５６において左右方向Ｙを向く側面には、左右一対の第２縦溝が形成されている。第２縦溝は、鉛直方向Ｚに延在し、鉛直方向Ｚの両側に向けて開口している。
【００８３】
連結部５６のうち、一対の第２縦溝の左右方向Ｙの間に位置する第２薄肉部５７は、狭幅部５５ａに配置されている。第２薄肉部５７は、狭幅部５５ａよりも左右方向Ｙに若干小さく、狭幅部５５ａに下方から進入可能で、かつ狭幅部５５ａ内を上下動可能に形成されている。基部５１のうち、第２薄肉部５７よりも後側に位置する第２係止部５８は、広幅部５５ｂに配置されている。第２係止部５８は、広幅部５５ｂよりも左右方向Ｙに若干小さく、広幅部５５ｂに下方から進入可能で、かつ広幅部５５ｂ内を上下動可能に形成されている。第２係止部５８は、狭幅部５５ａよりも左右方向Ｙに大きく、第２係止部５８の前面は、広幅部５５ｂの壁面のうち、後方を向く部分に係止している。
【００８４】
図５に示すような前記揮散装置６０では、支持部材１１を送風口Ａの正面に配置するときには、クリップ部５２をフィンＡ１に係合させて取付け部材１５を送風口Ａに取り付ける。このとき、送風口ＡのフィンＡ１の形態に応じて可動クリップ部５２ｂを基部５１に対して移動させ、複数のクリップ部５２をフィンＡ１に各別に係合させる。図示の例では、鉛直方向Ｚに４つのフィンＡ１が設けられ、固定クリップ部５２ａが、上から２番目のフィンＡ１に係合し、可動クリップ部５２ｂが、一番下のフィンＡ１に係合している。そこで例えば、可動クリップ部５２ｂを一度フィンＡ１から離脱させて上方にスライド移動させ、図５の２点鎖線で示された可動クリップ部５２ｂのように、下から２番目のフィンＡ１に改めて係合させてもよい。
【００８５】
なお、固定クリップ部５２ａと可動クリップ部５２ｂとは、左右方向Ｙに同等の位置に配置されていてもよく、左右方向Ｙに位置を異ならせて配置されていてもよい。前者の場合には、例えば、固定クリップ部５２ａと可動クリップ部５２ｂとを、鉛直方向Ｚに位置が異なる複数のフィンＡ１に各別に係合させること等ができる。後者の場合には更に、例えば、固定クリップ部５２ａと可動クリップ部５２ｂとを、同一のフィンＡ１に、左右方向Ｙの位置を異ならせて各別に係合させること等ができる。
【００８６】
また、吐出容器１２から揮散剤を吐出するため、操作部材１４を前記回動軸Ｌ回りに回動させるときには、例えば、使用者が指などで第２規制部材５０ｂを前方斜め下方に向けて、第１規制部材５０ａに係合するまで押し込む。このとき、第１規制部材５０ａおよび第２規制部材５０ｂを複数本の指で鉛直方向Ｚに挟み込んだ状態で、第２規制部材５０ｂを押し込んでもよい。なおこの場合、第１規制部材５０ａの後端部を指掛け部として作用させることができる。
【００８７】
以上説明したように、本実施形態に係る揮散装置６０によれば、複数のクリップ部５２が、フィンＡ１に各別に係合するので、取付け部材１５を送風口Ａに強固に取り付けることが可能になり、支持部材１１が送風口Ａに対して位置ずれするのを確実に抑えることができる。
また複数のクリップ部５２のうち、少なくとも１つが、可動クリップ部５２ｂなので、送風口ＡのフィンＡ１の形態に応じて可動クリップ部５２ｂの位置を調整することができる。したがって、この揮散装置６０を多様な送風口Ａに強固に取り付けることが可能になり、この揮散装置６０の適用範囲を多岐にわたらせることができる。
【００８８】
また可動クリップ部５２ｂが、基部５１にスライド移動可能に配設されているので、可動クリップ部５２ｂを基部５１から離脱させることなく、基部５１に対する可動クリップ部５２ｂの位置を調整することが可能になり、この揮散装置６０の操作性を向上させることができる。
【００８９】
また支持部材１１および操作部材１４に、前記規制部材５０ａ、５０ｂが設けられているので、押下ヘッド３８ｂを押下する押下力が、吐出容器１２に過度に加えられるのを抑えるとともに、この吐出容器１２および支持部材１１を介してフィンＡ１や送風口Ａに過剰な負荷が加えられるのを抑えることが可能になり、この揮散装置６０の姿勢をより安定させることができる。
【００９０】
さらに、第１規制部材５０ａおよび第２規制部材５０ｂを複数本の指で鉛直方向Ｚに挟み込んだ状態で、第２規制部材５０ｂを押し込むことができるので、操作部材１４を前記回動軸Ｌ回りに容易に回動させ易くすることが可能になり、この揮散装置６０の操作性を向上させることができる。
【００９１】
なお本実施形態では、可動クリップ部５２ｂは、鉛直方向Ｚにスライド移動するものとしたが、これに限られない。例えば、可動クリップ部が、左右方向にスライド移動してもよい。
また基部５１および可動クリップ部５２ｂは、可動クリップ部５２ｂが基部５１に対してスライド移動可能な他の構成に適宜変更してもよく、例えば可動クリップ部に案内溝が形成され、基部に案内溝内を上下動可能なレール部が設けられていてもよい。
【００９２】
また本実施形態では、可動クリップ部５２ｂは、基部５１にスライド移動可能に配設されているものとしたが、これに限られない。例えば可動クリップ部を、基部から離脱させて所望の位置に移動させた後、改めて基部に装着させるように構成されていてもよい。
さらに本実施形態では、基部５１と支持部材１１とが別体に形成されているものとしたが、これに限られず、例えば基部と支持部材とが一体に形成されていてもよい。
【００９３】
また本実施形態では、固定クリップ部５２ａおよび可動クリップ部５２ｂがそれぞれ１つずつ設けられているものとしたが、これに限られない。例えば、２つとも可動クリップ部であってもよい。さらにクリップ部が３つ以上設けられ、少なくとも１つが可動クリップ部であってもよい。
【００９４】
また規制部材５０ａ、５０ｂは、本実施形態に示したものに限られず、操作部材が回動軸回りに回動して押下ヘッドを押下した状態で互いに係合し、操作部材の更なる回動を規制する他の構成に適宜変更してもよい。例えば規制部材の後端部が、前記側面視において曲線状に形成されていなくてもよい。また規制部材が、鉛直方向を向く板状に形成されていなくてもよい。
【００９５】
なお、本発明の技術的範囲は前記実施形態に限定されるものではなく、本発明の趣旨を逸脱しない範囲において種々の変更を加えることが可能である。
【００９６】
環状凹部４１は、前記実施形態に示したものに限られず、例えば胴部に窪み形成されていてもよい。
前記実施形態では、吐出容器１２は、支持部材１１に正立状態で支持されているものとしたが、これに限られない。例えば、押下ヘッドが下方に位置し、容器体の底部が上方に位置する倒立状態で支持されていてもよい。
【００９７】
また支持部材１１は前記実施形態に示した構成に限られず、吐出容器を支持する他の構成に適宜変更してもよい。例えば縦リブはなくてもよい。また、背面壁部が筒壁部と一体に形成されていてもよく、つまり背面壁部が、筒壁部のうち、前側を向く部分により構成されていてもよい。さらに、筒壁部２２に支持フランジ部２５を設けるのに代えて、筒壁部を有底筒状に形成し、吐出容器の底部を筒壁部の底部上に載置してもよい。さらにまた、筒壁部２２がなくてもよい。例えば、正面壁部から後方に向けて保持部が突設され、この保持部に吐出容器が保持されていてもよい。
【００９８】
また、操作部材１４は前記実施形態に示したものに限られず、背面壁部に回動軸回りに回動可能に連結され、回動軸回りに回動することで押下ヘッドを押下する他の構成に適宜変更してもよい。例えば、操作部材が、軸部に代えてヒンジ部を介して支持部材に連結されていてもよい。さらに操作部材１４はなくてもよい。
【００９９】
また前記実施形態では、クリップ部５２がフィンＡ１に係合した状態で、基部５１に、フィンＡ１が前方から当接するものとしたが、これに限られず、当接しなくてもよい。さらに前記実施形態では、取付け部材１５が、支持部材１１にスライド移動可能に配設されているものとしたが、これに限られず、スライド移動不能であってもよい。
またクリップ部５２は、送風口ＡのフィンＡ１に係合する他の構成に適宜変更してもよい。例えばクリップ部が、被係合部としての送風口内に嵌合されるように構成されていてもよい。
【０１００】
また前記実施形態では、基部５１の後面は、吐出容器１２の胴部３７ｂの前側部分に前方から近接または当接しているものとしたが、これに限られない。例えば、基部の後面と胴部の前側部分との間に前後方向の隙間があってもよい。この場合、基部の後面に、後方に向けて突出する支持突起が設けられ、この支持突起が胴部の前側部分に前方から近接又は当接していてもよい。
【０１０１】
さらに取付け部材１５はなくてもよい。この場合、例えば送風口の正面に、揮散装置を、この揮散装置の鉛直下方から支持する支持台が設けられ、揮散装置が、この支持台上に例えば接着テープなどにより固定されていてもよい。
【０１０２】
さらに前記実施形態では、押下ヘッド３８ｂが押下されることで、揮散剤が吐出されるものとしたが、これに限られない。例えば吐出容器として、容器体がスクイズ変形可能に形成され、容器体がスクイズ変形させられることで、揮散剤が吐出されるような構成を採用してもよい。
【０１０３】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【０１０４】
１０、６０  揮散装置
１１  支持部材
１２  吐出容器
１３  含浸体
１４  操作部材
１５  取付け部材
２１  背面壁部
２２  筒壁部
２３  連結壁部
３３  通気口
３８ｂ  押下ヘッド（頭部）
４０  吐出孔
５０ａ、５０ｂ  規制部材
５１  基部
５２  クリップ部
５２ｂ  可動クリップ部
Ａ  送風口
Ａ１  フィン（被係合部）
Ｌ  回動軸
【図１】
2014148315.tif 000003
【図２】
2014148315.tif 000004
【図３】
2014148315.tif 000005
【図４】
2014148315.tif 000006
【図５】
2014148315.tif 000007